(57)【要約】【課題】細条素体を有するテンション型の色選別マスクにおいて、それに加える張力を調整することなく、振動を抑制することが可能な技術を提供する。【解決手段】スリット領域２１とブリッジ領域２２とを有する有孔領域を色選別マスクに設ける。ブリッジ領域２２は、有孔領域の上下端部に設けられている。スリット領域２１では、電子ビームの通過孔となるスリット１２３と細条素体１２４とが交互に配列されている。また、ブリッジ領域２２では、細条素体１２４が延長しており、互いに隣り合う細条素体１２４を連結するブリッジ２５と、電子ビームの通過孔となる貫通穴１２２とが設けられている。【選択図】        図４
2004227827.tif 000002
【特許請求の範囲】
【請求項１】
電子ビームの通過孔が複数設けられた有孔領域を有する色選別マスクと、
前記色選別マスクを架張し、第１方向に対して前記色選別マスクに張力を加えるマスクフレームと
を備え、
前記有孔領域は、前記第１方向の端部に位置するブリッジ領域と、少なくとも前記第１方向で前記ブリッジ領域に隣接するスリット領域とを有し、
前記スリット領域では、それぞれが前記第１方向に延在して、前記第１方向に垂直な第２方向に所定ピッチで配列された複数の細条素体と、互いに隣り合う前記細条素体の間で規定されるスリットとが設けられており、
前記ブリッジ領域では、前記細条素体が延長しており、互いに隣り合う前記細条素体を連結するブリッジが設けられている、マスク構体。
【請求項２】
前記有孔領域は、前記第２方向に並ぶ複数の前記ブリッジ領域を有し、
互いに隣り合う前記ブリッジ領域の間には前記スリットが介在する、請求項１に記載のマスク構体。
【請求項３】
前記スリット領域では、少なくとも一部において、互いに隣り合う前記スリットの前記第１方向の長さが互いに同じである、請求項１及び請求項２のいずれか一つに記載のマスク構体。
【請求項４】
前記スリット領域では、少なくとも一部において、互いに隣り合う前記スリットの前記第１方向の長さが互いに異なる、請求項１及び請求項２のいずれか一つに記載のマスク構体。
【請求項５】
前記スリット領域では、前記第１方向に第１の長さを有する前記スリットと、前記第１方向に前記第１の長さよりも短い第２の長さを有する前記スリットとが、交互に配列されている、請求項４に記載のマスク構体。
【請求項６】
前記スリット領域では、前記スリットの前記第１方向の長さが単調に変化している、請求項４に記載のマスク構体。
【請求項７】
前記色選別マスクに接触して設けられた振動減衰機構を更に備える、請求項４乃至請求項６のいずれか一つに記載のマスク構体。
【請求項８】
前記振動減衰機構は、前記第２方向に延在し、かつ前記第２方向に張力が加えられつつ前記スリット領域の前記少なくとも一部の前記細条素体に接触するダンパー線を有する、請求項７に記載のマスク構体。
【請求項９】
前記スリット領域における前記細条素体は、前記第２方向に突出する突起部を有する、請求項１乃至請求項８のいずれか一つに記載のマスク構体。
【請求項１０】
請求項１乃至請求項９のいずれか一つに記載のマスク構体を備える陰極線管。
【発明の詳細な説明】
【０００１】
【発明の属する技術分野】
この発明は、陰極線管内部に設置されるマスク構体に関する。
【０００２】
【従来の技術】
テレビジョンやコンピュータ用ディスプレイ等に用いられるカラー陰極線管の内部には、色選別を行うマスク構体が設置されている。
【０００３】
一般にこのマスク構体は、選択的エッチングにより多数の電子ビームの通過孔が形成された金属薄板で構成された色選別マスクと、これを支持するマスクフレームとで構成されている。代表的な色選別マスクの一つとして、スロット型マスクがある。このスロット型マスクは、略長方形の貫通穴（スロット）を有し、この貫通穴が電子ビームの通過孔となっている。
【０００４】
また、もうひとつの代表例として、多数の細条素体（「グリル素体」とも呼ばれる）が所定間隔で配列された構造を有し、互いに隣り合う細条素体の間のスリットが電子ビームの通過孔となっている色選別マスクがあり、かかる色選別マスクは「アパーチャグリル」と呼ばれている。
【０００５】
アパーチャグリルがスロット型マスクに対して優れている点のひとつとして耐熱特性がある。アパーチャグリルはマスクフレームに架張され、その細条素体の長手方向に張力が加えられている。これにより、色選別マスクの熱膨張に起因したドーミング現象の発生を抑制し、陰極線管の画面上の色ずれを低減することができる。
【０００６】
アパーチャグリルに代表される、マスクフレームに架張して用いられるテンション型の色選別マスクは、陰極線管外部からの衝撃やスピーカの振動等がマスクフレームを介して伝達し、保持張力だけでは十分な制振ができず、振動することがあった。この色選別マスクの振動は、画像の揺れとして顕著に視認され好ましくない現象である。
【０００７】
そこで、色選別マスクの振動を抑制するために様々な工夫が成されている。例えば特許文献１〜３に、色選別マスクの振動を抑制する技術が開示されている。
【０００８】
【特許文献１】
特開平５−２６６８１９号公報
【特許文献２】
特開平１１−２２４６１５号公報
【特許文献３】
特開平１１−２５０８２５号公報
【０００９】
【発明が解決しようとする課題】
アパーチャグリルのような、細条素体を有するテンション型の色選別マスクが採用されたマスク構体では、マスクフレームと細条素体との固有振動周波数が互いに一致している場合、外部から振動が加えられると、マスクフレームと細条素体とで共振を生じて、色選別マスクの振動が更に大きくなることがあった。
【００１０】
細条素体の固有振動周波数は、それに加えられている張力に依存するため、色選別マスクに加える張力を調整することによって、マスクフレームと細条素体との固有振動周波数を互いに異ならせることが可能である。しかしながら、色選別マスクに加える張力を小さくすると、外部からの振動に対して更に振動し易くなり、また張力を大きくすると、マスクフレームの剛性を高める必要があった。従って、色選別マスクに加える張力を調整することによって、振動を抑制することが困難であった。
【００１１】
そこで、本発明は上述の問題に鑑みて成されたものであり、細条素体を有するテンション型の色選別マスクにおいて、それに加える張力を調整することなく、振動を抑制することが可能な技術を提供することを目的とする。
【００１２】
【課題を解決するための手段】
この発明に係るマスク構体は、電子ビームの通過孔が複数設けられた有孔領域を有する色選別マスクと、前記色選別マスクを架張し、第１方向に対して前記色選別マスクに張力を加えるマスクフレームとを備え、前記有孔領域は、前記第１方向の端部に位置するブリッジ領域と、少なくとも前記第１方向で前記ブリッジ領域に隣接するスリット領域とを有し、前記スリット領域では、それぞれが前記第１方向に延在して、前記第１方向に垂直な第２方向に所定ピッチで配列された複数の細条素体と、互いに隣り合う前記細条素体の間で規定されるスリットとが設けられており、前記ブリッジ領域では、前記細条素体が延長しており、互いに隣り合う前記細条素体を連結するブリッジが設けられている。
【００１３】
【発明の実施の形態】
実施の形態１．
図１は本発明の実施の形態１に係るカラー陰極線管１の構造を示す断面図である。図１に示されるように、本実施の形態１に係るカラー陰極線管１は、内面に蛍光体スクリーン面２が形成されたフェイスパネル３と、フェイスパネル３に接続されたファンネル４とを備えている。
【００１４】
ファンネル４のネック部４ａには電子銃５が設置されており、フェイスパネル３の内部には、色選別マスク１１とそれを支持するマスクフレーム１２とを有するマスク構体１０が設置されている。また、ファンネル４の外側には、電子銃５が発する電子ビームを偏向走査する偏向ヨーク６が取り付けられている。
【００１５】
マスク構体１０は、その色選別マスク１１が蛍光体スクリーン面２に対向するように設置されている。電子銃５から発せられる３本の電子ビーム７は、蛍光体スクリーン面２の赤色用、緑色用及び青色用の蛍光体にそれぞれランディングするように、色選別マスク１１によって色選別される。
【００１６】
次に、本実施の形態１に係るマスク構体１０について詳細に説明する。図２はマスク構体１０の構造を示す斜視図である。図中のＸ軸、Ｙ軸及びＺ軸は、マスク構体１０がファンネル４内部に設置された際の画面水平方向、画面垂直方向及び管軸方向をそれぞれ示している。
【００１７】
図２に示されるように、マスク構体１０は、色選別マスク１１と、色選別マスク１１を架張するマスクフレーム１２と、色選別マスク１１に接触して設けられた、色選別マスク１１の振動を抑制する振動減衰機構１３とを備えている。マスクフレーム１２は、色選別マスク１１のＹ軸方向の両端部に接合されており、色選別マスク１１にＹ軸方向の張力を加えている。
【００１８】
図３，４は色選別マスク１１の構造を示す平面図である。図３は全体図であって、図４は部分拡大図である。図３に示されるように、色選別マスク１１は、マスクフレーム１２との接合領域３０と、電子銃５からの電子ビームの通過孔が複数設けられた有孔領域２０とを有している。接合領域３０は、色選別マスク１１のＹ軸方向の両端部に位置している。そして有孔領域２０は、ほぼ色選別マスク１１のＸ軸方向の一端から他端に渡って位置しており、Ｙ軸方向で接合領域３０に挟まれている。また有孔領域２０の寸法は、カラー陰極線管１の画面における、実際に画像が表示される有効領域の寸法に対応している。
【００１９】
有孔領域２０は、図３，４に示されるように、アパーチャーグリルとして機能するスリット領域２１と、スロット型マスクとして機能するブリッジ領域２２とを有している。ブリッジ領域２２は、有孔領域２０のＹ軸方向の両端部に設けられており、有孔領域２０のＸ軸方向の一端から他端まで延在している。スリット領域２１は、有孔領域２０のＸ軸方向の一端から他端に渡って設けられており、ブリッジ領域２２にＹ軸方向で挟まれている。言い換えれば、スリット領域２１はＹ軸方向でブリッジ領域２２に隣接している。そして、スリット領域２１とブリッジ領域２２との概略の境界線１４は、Ｘ軸方向に直線的に延びている。
【００２０】
図４に示されるように、スリット領域２１には、それぞれがＹ軸方向に延在し、Ｘ軸方向に所定ピッチで配列された複数の細条素体１２４が設けられている。そして、スリット領域２１には、互いに隣り合う細条素体１２４の間で規定される複数のスリット１２３が設けられている。また、本実施の形態１では、スリット１２３のＹ軸方向の長さは均一であり、スリット１２３のＹ軸方向の端面はＸ軸方向に沿って直線的に並んでいる。このように、スリット領域２１では、Ｘ軸方向においてスリット１２３と細条素体１２４とが交互に設けられているため、スリット領域２１はスリット１２３を電子ビームの通過孔とするアパーチャーグリルとして機能する。
【００２１】
ブリッジ領域２２では、スリット領域２１の細条素体１２４が延長しており、細条素体１２４は接合領域３０と連結している。つまり細条素体１２４は、色選別マスク１１の上端部に位置する接合領域３０から下端部に位置する接合領域３０まで延在している。以後、スリット領域２１のみに存在する細条素体１２４を「細条素体１２４ａ」、ブリッジ領域２２のみに存在する細条素体１２４を「細条素体１２４ｂ」とそれぞれ呼ぶ場合がある。
【００２２】
ブリッジ領域２２には、互いに隣り合う細条素体１２４を連結するブリッジ２５が設けられている。ブリッジ２５は、一組の互いに隣り合う細条素体１２４に対して複数設けられている。そして、Ｙ軸方向で互いに隣り合うブリッジ２５、あるいは接合領域３０及びそれにＹ軸方向で隣り合うブリッジ２５と、互いに隣り合う細条素体１２４とで囲まれた、方形状の貫通穴１２２が複数設けられている。
【００２３】
本実施の形態１に係るブリッジ領域２２では、スリット１２３と、それにＹ軸方向で隣り合う貫通穴１２２との間に位置するブリッジ２５は、Ｘ軸方向に沿って直線的に並んでいる。そのため、スリット１２３のＹ軸方向の長さは均一であり、スリット１２３のＹ軸方向の端面はＸ軸方向に沿って直線的に並んでいる。また、それ以外のブリッジ２５は千鳥状に配置されている。これによって、貫通穴１２２の大部分が千鳥状に配置される。
【００２４】
このように、互いに隣り合う細条素体１２４を連結するブリッジ２５を適切に設けることによって、ブリッジ領域２２が貫通穴１２２を電子ビームの通過孔とするスロット型マスクとして機能する。
【００２５】
振動減衰機構１３は、図２に示されるように、マスクフレーム１２に取り付けられた一対のダンパースプリング１３ａと、かかるダンパースプリング１３ａ間に架張されているダンパー線１３ｂとを備えている。ダンパー線１３ｂはＸ軸方向に延在し、色選別マスク１１におけるスリット領域２１の細条素体１２４ａに接触している。更に、ダンパー線１３ｂは一対のダンパースプリング１３ａによってＸ軸方向に張力が加えられている。
【００２６】
このように、ダンパー線１３ｂをスリット領域２１の細条素体１２４ａに接触させて設けることによって、ダンパー線１３ｂと細条素体１２４ａとの間に摩擦が生じ、色選別マスク１１の振動を抑制することができる。
【００２７】
上述のように、本実施の形態１に係るマスク構体１０では、有孔領域２０にスリット領域２１及ブリッジ領域２２が設けられているため、有孔領域２０における各領域の占める割合を調整することによって、スリット領域２１における細条素体１２４ａの固有振動周波数を調整することができる。
【００２８】
具体的には、ブリッジ領域２２のＹ軸方向の寸法を大きくすることによって、スリット領域２１のＹ軸方向の寸法が小さくなり、細条素体１２４ａのＹ軸方向の寸法が小さくなる。弦の固有振動周波数はその長さに反比例するため、その結果、細条素体１２４ａの固有振動周波数が大きくなる。
【００２９】
一方、ブリッジ領域２２のＹ軸方向の寸法を小さくすることによって、スリット領域２１のＹ軸方向の寸法が大きくなり、細条素体１２４ａのＹ軸方向の寸法が大きくなる。その結果、細条素体１２４ａの固有振動周波数が小さくなる。
【００３０】
このように、有孔領域２０におけるスリット領域２１及びブリッジ領域２２の占める割合を調整することによって、スリット領域２１における細条素体１２４ａの固有振動周波数を調整することができる。そのため、細条素体１２４ａに加える張力を調整することなく、マスクフレーム１２と細条素体１２４ａとの固有振動周波数を互いに異ならせることができる。その結果、マスクフレーム１２と細条素体１２４ａとの共振による色選別マスク１１の振動を抑制することができる。
【００３１】
更に、有孔領域２０のＹ軸方向の端部には、スロット型マスクとして機能するブリッジ領域２２を設けているため、カラー陰極線管１の画面のＹ軸方向の端部において画質が劣化することは無い。
【００３２】
そして、カラー陰極線管１にこのようなマスク構体１０を採用することによって、高品位の画質をユーザーに提供できる。
【００３３】
また、互いに隣り合うスリット１２３のＹ軸方向の長さが互いに異なると、色選別マスク１１に張力を加えた際、スリット１２３近傍に加わる応力にも互いに差を生じるため、スリット１２３をＸ軸方向に変形する力が比較的発生しやすい。しかしながら、本実施の形態１では、互いに隣り合うスリット１２３のＹ軸方向の長さが互いに同じであるため、スリット１２３に発生するＸ軸方向の力を低減することができる。
【００３４】
なお本実施の形態１では、ブリッジ領域２２を有孔領域２０のＸ軸方向の一端から他端に渡って設けていたが、図５，６に示されるように、ブリッジ領域２２をスリット領域２１で分断して、ブリッジ領域２２の間に接合領域３０に達するスリット１２３を介在させてもよい。言い換えれば、有孔領域２０のＹ軸方向の端部に、Ｘ軸方向に並ぶ複数のブリッジ領域２２を設けて、互いに隣り合うブリッジ領域２２の間にスリット領域２１のスリット１２３を介在させても良い。なお、図６は図５の部分Ａの拡大図である。
【００３５】
このように、互いに隣り合うブリッジ領域２２の間にスリット１２３を介在させることによって、図３に示される色選別マスク１１よりも、ブリッジ領域２２でのドーミング現象の発生を抑制することができる。なお、この場合であっても、スリット領域２１のうちスリット１２３の長さが均一である部分では、上述のように、スリット１２３に発生するＸ軸方向の力を低減することができる。
【００３６】
また本実施の形態１では、ブリッジ領域２２を有孔領域２０のＹ軸方向の両端部に設けていたが、図７に示されるように、ブリッジ領域２２をどちらか一方の端部に設けても良い。この場合、スリット領域２１は、ブリッジ領域２２が設けられない端部にまで延びている。
【００３７】
また本実施の形態１では、ダンパー線１３ｂが一本しか設けられていないが、複数対のダンパースプリング１３ａを設けて、ダンパー線１３ｂを複数本設けても良い。
【００３８】
また本実施の形態１では、ダンパー線１３ｂを有する振動減衰機構１３を採用したが、かかる振動減衰機構１３の代わりに、特許文献２，３に開示されている振動減衰機構を採用しても良い。
【００３９】
実施の形態２．
図８は本発明の実施の形態２に係る色選別マスク５１を示す平面図である。本実施の形態２に係る色選別マスク５１は、上述の実施の形態１に係る色選別マスク１１において、スリット１２３と、それにＹ軸方向で隣り合う貫通孔１２２との間のブリッジ２５の配置を変形したものであって、それによって、互いに隣り合うスリット１２３の長さが互いに異なっている。
【００４０】
図８に示されるように、ブリッジ領域２２においては、スリット１２３と、それにＹ軸方向で隣り合う貫通孔１２２との間に位置するブリッジ２５が、Ｘ軸方向に沿って千鳥状に配置されている。その結果、ブリッジ領域２２全体において、ブリッジ２５が千鳥状に配置されている。また、色選別マスク５１の上端部のブリッジ領域２２と、下端部のブリッジ領域２２とのブリッジ２５の配置は、色選別マスク５１のＹ軸方向の中心軸で互いに折り返した配置となっている。
【００４１】
ブリッジ領域２２において、ブリッジ２５がこのように配置されることによって、スリット領域２１では、Ｙ軸方向に長さｘを有するスリット１２３と、Ｙ軸方向に長さｘよりも短い長さｙを有するスリット１２３とが交互に配列されている。また、このようなブリッジ２５の配置のために、スリット領域１４とブリッジ領域２５との境界線１４は、スリット１２３が配列されている間隔で屈曲する波形を形成している。その他の構造については、実施の形態１に係る色選別マスク１１と同様のため、その説明は省略する。
【００４２】
このように、本実施の形態２に係る色選別マスク５１では、互いに隣り合うスリット１２３の長さが互いに異なるため、スリット領域における、互いに隣り合う細条素体１２４ａの形状が互いに異なるようになる。そのため、色選別マスク１１の替わりに、本実施の形態２に係る色選別マスク５１をマスク構体１０に採用することによって、互いに隣り合う細条素体１２４ａの振動の仕方が互いに異なるようになる。なお図８では、スリット領域２１における細条素体１２４ａを左上がりの斜線で示している。
【００４３】
互いに隣り合う細条素体１２４ａの振動の仕方が同じである場合、細条素体１２４ａ間で共振を生じやすい。しかしながら、本実施の形態２では、互いに隣り合う細条素体１２４ａの振動の仕方が互いに異なるようになるため、細条素体１２４ａ間の共振の発生を抑制することができる。
【００４４】
また、図２に示される振動減衰機構１３や、特許文献２，３に開示されている振動減衰機構のように、色選別マスクに接触して設けられる振動減衰機構をマスク構体１０に採用した場合、互いに隣り合う細条素体１２４ａの振動の仕方が同じであれば、かかる振動減衰機構が細条素体１２４ａ間の共振に寄与することがあった。例えば、上述の振動減衰機構１３では、ダンパー線１３ｂを介して振動が伝達し、互いに隣り合う細条素体１２４ａが共振することがあった。
【００４５】
本実施の形態２では、互いに隣り合う細条素体１２４ａの振動の仕方が互いに異なっているため、色選別マスクに接触して設けられる振動減衰機構による細条素体１２４ａ間での共振の発生をも抑制することができる。
【００４６】
なお本実施の形態１では、長いスリット１２３と短いスリット１２３とを交互に配列していたが、スリット領域２１において、スリット１２３のＹ軸方向の長さが単調に増加あるいは減少する部分を設けても良い。
【００４７】
例えば、図９，１０に示されるように、スリット領域２１とブリッジ領域２２との境界線１４が全体としてほぼ曲線になるように、スリット１２３と、それにＹ軸方向で隣り合う貫通穴１２２との間のブリッジ２５を、Ｘ軸方向に延びる曲線８０に沿って配置し、スリット領域２１にスリット１２３の長さが単調に変化する部分を設けても良い。なお、図１０は図９の部分Ｂの拡大図である。
【００４８】
また、例えば図１１，１２に示されるように、スリット領域２１とブリッジ領域２２との境界線１４が全体としてほぼ三角波形状になるように、スリット１２３と、それにＹ軸方向で隣り合う貫通穴１２２との間のブリッジ２５をＸ軸方向に延びる三角波形状の線８１に沿って配置し、スリット１２３の長さが単調に変化する部分を設けても良い。なお、図１２は図１１の部分Ｃの拡大図である。
【００４９】
このように、スリット領域２１にスリット１２３の長さが単調に変化する部分を設けることによって、互いに隣り合う細条素体１２４ａの長さが互いに異なるようになる。その結果、互いに隣り合うスリット１２３の形状及び固有振動周波数が互いに異なるようになるため、細条素体１２４ａ間の共振の発生を更に抑制することができる。
【００５０】
更に、スリット１２３の長さが段階的に変化するため、色選別マスク５１をマスクフレーム１２に架張した際にスリット１２３のＸ軸方向に加わる力を抑えることができる。
【００５１】
また、この場合には、マスク構体が色選別マスクに接触して設けられる振動減衰機構を備える際には、かかる振動減衰機構による細条素体１２４ａ間での共振の発生を更に抑制することができる。
【００５２】
なお特許文献１にも、隣り合う細条素体の長さを互いに異ならせることによって、ダンパー線による細条素体間の共振を抑制する技術が開示されている。しかしながら、この場合には、細条素体の長さの差が陰極線管の画面上で凹凸状に視認されるため、画面の垂直方向の端部において正しく画像が表示されない問題が生じる。
【００５３】
一方、本実施の形態２では、有効領域２０のＹ軸方向の端部に、スロット型マスクとして機能するブリッジ領域２２を設けているため、画面の垂直方向の端部において画像を正しく表示することが可能となっている。
【００５４】
また本実施の形態２では、有孔領域２０のＸ軸方向の一端から他端にかけてブリッジ領域２２を設けていたが、スリット領域２１でブリッジ領域２２を分断し、ブリッジ領域２２間に接合領域３０に達するスリット１２３を介在させても良い。例えば、図１３に示されるように、スリット領域２１に、スリット１２３のＹ軸方向の長さが単調に変化する部分を設けつつ、ブリッジ領域２２間にスリット１２３を介在させることによって、細条素体１２４ａ間での共振の発生を抑制しつつ、ブリッジ領域２２でのドーミング現象の発生を抑えることができる。
【００５５】
実施の形態３．
上述の実施の形態１，２では、スリット領域２１において、互いに隣り合う細条素体１２４ａが振動により互いに接触し、摩擦を生じて互いに重なり合ったまま元の状態に復帰せず、絡み合う現象（以後、「グリル絡み」と呼ぶ）が発生する場合がある。
【００５６】
図１４は細条素体１２４ａが振動により接触する様子を示す図であって、図１４（ａ）は接触する前、図１４（ｂ）は接触後の様子を示している。
【００５７】
図１４（ａ）に示されるように、色選別マスクの振動により、互いに隣り合う細条素体１２４ａに矢印で示す方向の力が加わると、図１４（ｂ）に示されるように、細条素体１２４ａ同士は線接触で接触する。このため、細条素体１２４ａ間に大きな摩擦を生じて、グリル絡みが発生する場合があった。
【００５８】
そこで、本実施の形態３では、スリット領域２１の細条素体１２４ａに、Ｘ軸方向に突出する突起部を設けることによって、細条素体１２４ａ同士が接触した場合に、それらの間に発生する摩擦を小さくし、これによってグリル絡みを抑制する。以下に詳細に説明する。
【００５９】
図１５は、本実施の形態３に係るスリット領域２１の細条素体１２４ａの形状を示す図である。なお、図１５（ａ）は細条素体１２４ａが振動によって接触する前の様子を示しており、図１５（ｂ）は接触後の様子を示している。
【００６０】
図１５に示されるように、細条素体１２４ａのＸ軸方向の両端面に、Ｘ軸方向に突出し、隣り合う細条素体１２４ａを連結しない突起部１６を設ける。本実施の形態３では、互いに隣り合う細条素体１２４ａにおいて、互いに対面するそれぞれの端面に設けられた突起部１６は、Ｙ軸方向の位置が互いに同じであって、互いに対向して配置されている。また、突起部１６の先端形状は例えば円弧状となっている。
【００６１】
このように、少なくともスリット領域２１の細条素体１２４ａに突起部１６を設けることによって、細条素体１２４ａに図１５（ａ）の矢印が示す向きの力が加わった場合には、図１５（ｂ）に示されるように、細条素体１２４ａ同士は点接触で接触する。そのため、細条素体１２４ａ間の接触面積が低減し、発生する摩擦が減少する。その結果、グリル絡みの発生が抑えられる。
【００６２】
なお、突起部１６は細条素体１２４ａの両端面に必ず設ける必要は無く、図１６（ａ）に示されるように、細条素体１２４ａのＸ軸方向の一方の端面にのみ設けても良い。この場合には、互いに隣り合う細条素体１２４ａにおいて、同じ側の端面に突起部１２４ａを設ける。
【００６３】
また、突起部１６を細条素体１２４ａの両端面に設ける場合であっても、図１６（ｂ）に示されるように、互いに隣り合う細条素体１２４ａにおいて、互いに対面するそれぞれの端面に設けられた突起部１６のＹ軸方向の位置が互いに異なるように配置されていても良い。
【００６４】
また、本実施の形態３では、突起部１６の先端形状が円弧状であったが、互いに隣り合う細条素体１２４ａ間の接触面積を低減できれば良いため、突起部１６の先端形状はこの形状以外の形状であっても良い。
【００６５】
【発明の効果】
この発明に係るマスク構体によれば、有孔領域におけるスリット領域及ブリッジ領域の占める割合を調整することによって、マスクフレームとスリット領域における細条素体との固有振動周波数を互いに異ならせることができる。従って、色選別マスクに加える張力を調整することなく、スリット領域の細条素体の振動を抑えることができる。
【図面の簡単な説明】
【図１】本発明の実施の形態１に係るカラー陰極線管の構造を示す断面図である。
【図２】本発明の実施の形態１に係るマスク構体の構造を示す斜視図である。
【図３】本発明の実施の形態１に係る色選別マスクの構造を示す平面図である。
【図４】本発明の実施の形態１に係る色選別マスクの構造を示す平面図である。
【図５】本発明の実施の形態１に係る色選別マスクの変形例の構造を示す平面図である。
【図６】本発明の実施の形態１に係る色選別マスクの変形例の構造を示す平面図である。
【図７】本発明の実施の形態１に係る色選別マスクの変形例の構造を示す平面図である。
【図８】本発明の実施の形態２に係る色選別マスクの構造を示す平面図である。
【図９】本発明の実施の形態２に係る色選別マスクの変形例の構造を示す平面図である。
【図１０】本発明の実施の形態２に係る色選別マスクの変形例の構造を示す平面図である。
【図１１】本発明の実施の形態２に係る色選別マスクの変形例の構造を示す平面図である。
【図１２】本発明の実施の形態２に係る色選別マスクの変形例の構造を示す平面図である。
【図１３】本発明の実施の形態２に係る色選別マスクの変形例の構造を示す平面図である。
【図１４】細条素体が接触する様子を示す図である。
【図１５】本発明の実施の形態３に係る細条素体の構造を示す図である。
【図１６】本発明の実施の形態３に係る細条素体の変形例の構造を示す図である。
【符号の説明】
１  カラー陰極線管、１０  マスク構体、１１，５１  色選別マスク、１２  マスクフレーム、１３  振動減衰機構、１６  突起部、２０有孔領域、２１  スリット領域、２２  ブリッジ領域、２５  ブリッジ、１２３  スリット、１２４
細条素体。
【図１】
2004227827.tif 000003
【図２】
2004227827.tif 000004
【図３】
2004227827.tif 000005
【図４】
2004227827.tif 000006
【図５】
2004227827.tif 000007
【図６】
2004227827.tif 000008
【図７】
2004227827.tif 000009
【図８】
2004227827.tif 000010
【図９】
2004227827.tif 000011
【図１０】
2004227827.tif 000012
【図１１】
2004227827.tif 000013
【図１２】
2004227827.tif 000014
【図１３】
2004227827.tif 000015
【図１４】
2004227827.tif 000016
【図１５】
2004227827.tif 000017
【図１６】
2004227827.tif 000018